【事件の表示】
　特願２００２−２０９３０６「遊戯台」拒絶査定不服審判事件〔平成１６年　２月１９日出願公開、特開２００４−　４９４４２〕について、次のとおり審決する。
【結　論】
　本件審判の請求は、成り立たない。
【理　由】
１．手続の経緯・本願発明
　本願は、平成１４年７月１８日に出願されたものであって、その請求項１及び２に係る発明は、平成１７年３月１６日付けの手続補正書により補正された明細書の特許請求の範囲の請求項１及び２に記載された「遊戯台」にあると認められるところ、その請求項１に記載された発明（以下、「本願発明」という。）は次のとおりのものである。
　
「【請求項１】　遊戯玉又は遊戯コインを用いて遊戯する遊戯台において、
遊戯台本体の前面の灰皿取付部に設けられ、遊戯玉又は遊戯コインを投入するための投入口と、前記投入口より投入された遊戯玉又は遊戯コインの個数を計数する計数手段と、前記計数手段により計数された個数を表示する表示手段と、前記表示手段により表示された個数を出力物に印字して出力する出力手段と、前記遊戯台本体に設けられ、店員を呼び出すための表示ランプと、前記遊戯台本体の前面に設けられ、遊戯中に店員を呼び出して景品交換を行うための景品交換用ボタンと、前記遊戯台本体の前面に設けられ、景品カウンタにて景品交換を行うためのカウンタ用ボタンと、を備え、遊戯中に店員を呼び出して景品交換を行う場合には、前記景品交換用ボタンが操作され、前記出力手段は前記表示手段に表示された個数を出力物に印字して出力するとともに前記表示ランプが点灯され、一方景品カウンタにて景品交換を行う場合には、前記カウンタ用ボタンが操作され、前記表示ランプが点灯することなく前記出力手段は前記表示手段に表示された個数を出力物に印字して出力することを特徴とする遊戯台。」
　
２．引用刊行物記載の発明
　刊行物１：特開２００１−１２９２３６号公報
　刊行物２：特開平１０−１５２０５号公報
　刊行物３：特開２００１−１５７７７０号公報
　刊行物４：特開平９−２７６５１９号公報
　
２．１　刊行物１記載の発明
　当審における拒絶の理由に引用された、本願の出願日前である平成１３年５月１５日に頒布された刊行物１（特開２００１−１２９２３６号公報）には、図面と共に次の事項が記載されている。
　
（１−１）「【０００９】図において、パチンコ島台１は、周知のように、直方体状に枠組み構成され、その長手方向両面に複数のパチンコ機２を背向列設するようになっている。また、パチンコ島台１には、各パチンコ機２に挟持されるように玉貸機としての台間玉貸機３が設けられており、この台間玉貸機３はパチンコ機２と１対１対応するように設けられていると共に、硬貨あるいは記録媒体としての貯玉カードによりパチンコ玉を貸し出すようになっている。」（第３ページ第４欄第６〜１４行）
（１−２）「【００１４】また、パチンコ機２の下部には、パチンコ島台１に対してほぼ直行するように外側に向かってカウンター台１２が突設されているが、このカウンター台１２には、遊技者が獲得した景品玉を返却する機能が付設されている。また、カウンター台１２上には、パチンコ機１から排出された景品玉が貯留される玉箱３２が載置されるが、この玉箱３２にも同様に景品玉を返却する機能として、開閉板３６を有する景品玉返却装置３５が付設されている。この玉箱３２から返却された景品玉は、パチンコ機１の下部に設けられた計数装置としての計数ユニット４０により玉数が計数された後、パチンコ機１から排出された使用済玉と同様に玉受け部３０内の玉受け装置３４上に落下し、第１アウト玉回収樋１０及び第２アウト玉回収樋１１に落下せしめられる。」（第４ページ第５欄第１７〜３０行）
（１−３）「【００１８】図３において、パチンコ機２の上部には上部装飾板５０が取り付けられ、その上部装飾板５０の表面中央部には、情報表示部５１を備えた呼出表示装置１４が設けられている。この呼出表示装置１４は、遊技中にパチンコ機２の入賞口に玉詰まりが生じたとき等に、遊技客が呼出スイッチ５２を押すことにより点灯し、係員を呼び出す旨を報知するためのものである。また、情報表示部５１は、詳しくは後述するが、遊技に係る様々な情報を表示するためのものであり、預り玉数，貯玉数，及び減算値等が表示される。呼出表示装置１４の左側方で上部装飾板５０の内部には、減算値記録媒体としてのレシートを発行するレシート発行機５３（減算値提示手段）が設けられており、レシート発行機５３のレシート排出口５４及びレシート排出ボタン５５が上部装飾板５０の表面になるよう設けられる。」（第４ページ第６欄第９〜２３行）
（１−４）「【００２０】次に、台間玉貸機３について説明する。前述のように台間玉貸機３は、各パチンコ機２毎に対応して設けられており、台間玉貸機３の上部表面には、硬貨投入口５８，硬貨返却ボタン５９及び数値入力キー６０が設けられている。硬貨投入口５８は、パチンコ玉を借りる際に硬貨を投入するものであり、硬貨の投入によりパチンコ玉がノズル６５から上皿７３に排出される。また、硬貨返却ボタン５９は、間違った硬貨を投入してしまったときやパチンコ玉の借り受けを中止するとき等、硬貨を返却する際に押すものであり、硬貨の返却は、台間玉貸機３の下部に設けられる硬貨返却口６６で行なわれる。数値入力キー６０は、詳しくは後述するが、各種の数値を入力するための数値入力ボタン７１と設定ボタン６１，決定ボタン６２，取消ボタン６３，精算ボタン６４が併設されている。また、台間玉貸機３の下部表面には、貯玉数表示ボタン６７，カード挿入口６８及びカード排出ボタン６９が設けられている。貯玉数表示ボタン６７を押すとカード挿入口６８から挿入された貯玉カードに記録された貯玉数が情報表示部５１に表示され、カード排出ボタン６９を押すとカード挿入口６８から貯玉カードが排出される。
【００２１】また、カード挿入口６８設置部分で台間玉貸機３内部には、カード挿入口６８から挿入された貯玉カードに対して貯玉情報を読み書きするカード読書き装置７０が内蔵されている。」（第４ページ第６欄第３６行〜第５ページ第７欄第１０行）
（１−５）「【００２４】以上のようにして、パチンコ機２の上皿７３に遊技玉を得て遊技をすることでパチンコ機２において獲得した景品玉は、パチンコ機２の上皿７３から下皿７４に導かれ、下皿７４が満タンになった場合に遊技者が下皿７４の図示しないシャッターを開放することで一時保留用の玉箱３２に保留される。更に、玉箱３２が満タンになった場合に、遊技者が玉箱３２の景品玉返却装置３５（図２参照）を操作することで開閉板３６（図２参照）が開放され、図２に示す各パチンコ機２毎に設置された計数ユニット４０によって計数される。そして、計数値が台間玉貸機３の預玉記憶部４１に記憶されると共に、呼出表示装置１４の情報表示部５１に表示される。」（第５ページ第７欄第４７行〜第８欄第９行）
（１−６）「遊技を終了する場合は、玉箱３２の玉をすべて計数する。そして預玉記憶部４１に記憶された景品玉は、精算ボタン６４を操作することにより、会員カードである貯玉カードあるいは遊技場の係員から別途支給される預り玉記録カードに記憶され、この貯玉カードあるいは預り玉記録カードを遊技場内に設置されるホールカウンターに持参することにより、所望の景品と交換することができる。」（第５ページ第８欄第１６〜２３行）
（１−７）「【００２６】まず、遊技者が設定ボタン６１を押した後、数値入力ボタン７１により所定の個数入力を行い、更に設定ボタン６１を押す。以上の操作を行うと、カード挿入口６８に貯玉カードが有るか否かがＳ１で判断される。貯玉カードがカード挿入口７０に挿入されており貯玉カードが有ると判断された場合はＳ２で貯玉カードに入力個数分の記録が有るか否かが判断される。有ると判断されるとＳ３で貯玉カードより入力個数分の玉が減算されると共に、情報表示部５１にその減算値が表示される。続いてレシート排出ボタン５５を押すことで、情報表示部５１の減算値表示がクリアされると共に、Ｓ４が実行され、減算値が記録されたレシートが発行される。また、Ｓ１で貯玉カードがカード挿入口７０に挿入されておらず貯玉カードが無いと判断された場合、または、Ｓ２で貯玉カードに入力個数分の記録が無いと判断された場合はＳ５でパチンコ機２内の預玉記憶部に入力個数分の記録があるか否かが判断される。預玉記憶部に入力個数分の記録が有ると判断された場合はＳ６が実行される。そしてＳ６では預玉記憶部から入力個数分のパチンコ玉が減算されると共に減算された玉数が情報表示部５１に表示され、前述と同様に続いてレシート排出ボタン５５を押すことで、情報表示部５１の減算値表示がクリアされると共に、Ｓ４が実行され、減算値が記録されたレシートが発行される。そして、このレシートを用いてワゴンサービスを利用できる。」（第５ページ第８欄第３８行〜第６ページ第９欄第１２行）
（１−８）「【００３１】また、景品玉をタバコやジュース等の一般景品に交換する場合に、交換に必要なパチンコ玉の個数を数値入力ボタン７１により入力し、レシートを発行するものを示したが、タバコやジュース等のような交換頻度の高い景品については、専用の景品ボタンを設け、この景品ボタンを押すだけで、パチンコ玉の個数を入力することなく、レシートが発行されるように構成されるものであってもよい。」（第６ページ第９欄第４５行〜第１０欄第２行）
（１−９）「【００３３】以上、実施形態に係るパチンコ島台１の構成について説明してきたが、本実施形態においては、獲得した景品玉を計数する計数ユニット４０と、該計数ユニット４０により計数された計数値を表示する情報表示部５１と、前記計数ユニット４０により計数された計数値を記憶する預玉記憶部４１と、該預玉記憶部４１に記憶された計数値を貯玉カードに記録し発行するカード読書き装置７０と、少なくとも前記計数値が記録された貯玉カードの記録値に基づいて遊技玉を貸し出す台間玉貸機３と、が各パチンコ機２毎に対応して設けられる景品玉交換装置を備えたパチンコ島台１において、前記景品玉交換装置は、所定の操作に基づき、前記預玉記憶部４１の記憶値または前記貯玉カードの記録値から所定値を減算すると共に、該減算値を記録したレシートを払い出すレシート発行機５３を有することを特徴とするものである。このように構成することにより、例えば、景品に対応するパチンコ玉数を入力したり、あるいは、予めタバコやジュース等の一般景品に対応するパチンコ玉数が設定された景品ボタンを押す等の所定の操作をすることで、このパチンコ玉数が預玉記憶部４１の記憶値または貯玉カードの記録値から減算され、この減算値がレシート発行機５３から発行されるレシート及び情報表示部５１に提示されるため、ワゴンサービスの係員がこの減算値を確認してタバコやジュース等の一般景品を遊技客に渡すことができ、パチンコ玉自体を用いることなく景品交換を行うことができると共に、ワゴンサービスの係員がこのレシートを管理することで売り上げ記録等の管理業務が容易に行うことができる。」（第６ページ第１０欄第８〜３５行）
　
　上記記載事項（１−１）ないし（１−９）及び図面の記載によると、刊行物１には、
「パチンコ機２、前記パチンコ機２の上部に取り付けられた上部装飾板５０、前記パチンコ機２と１対１対応するように設けられた台間玉貸機３を備えたパチンコ島台１において、
前記パチンコ機２の下部に外側に向かって突設されカウンター台１２と、前記カウンター台１２上に載置され前記パチンコ機２から排出された景品玉が貯留される玉箱３２と、前記玉箱３２に付設された開閉板３６を有する景品玉返却装置３５と、前記パチンコ機２の下部に設けられ、前記玉箱３２から返却された景品玉の玉数を計数する計数ユニット４０とを備え、
前記台間玉貸機３には、前記計数ユニット４０により計数された計数値を記憶する貯玉記憶部４１、設定ボタン６１、数値入力ボタン７１、精算ボタン６４、カード読書き装置７０が設けられ、
前記上部装飾板５０には、前記計数値を表示する情報表示部５１、レシート発行機５３、レシート排出ボタン５５、遊技中に前記パチンコ機２の入賞口に玉詰まりが生じたとき等に、遊技客が呼出スイッチ５２を押すことにより点灯し、係員を呼び出す旨を報知するための呼出表示装置１４が設けられ、
前記設定ボタン６１を押した後、前記数値入力ボタン７１により所定の個数入力を行い、さらに前記設定ボタン６１を押すと、貯玉カードあるいは前記貯玉記憶部４１から入力個数分のパチンコ玉が減算されると共に減算された玉数が前記情報表示部５１に表示され、続いて前記レシート排出ボタン５５を押すと前記レシート発行機５３が減算値が記録されたレシートを発行し、前記レシートを用いてワゴンサービスにより景品交換を行うことができるようにし、
遊技を終了する場合は、前記玉箱３２の玉をすべて計数し、前記精算ボタン６４を操作することにより、前記預玉記憶部４１に記憶され前記情報表示部５１に表示された景品玉を貯玉カードあるいは預り玉記録カードに記憶し、前記貯玉カードあるいは預り玉記録カードを遊技場内に設置されるホールカウンターに持参することにより、所望の景品と交換することができるようにしたパチンコ島台１。」
の発明（以下、「引用発明１」という。）が記載されていると認められる。
　
２．２　刊行物２記載の発明
　当審における拒絶の理由に引用された、本願の出願日前である平成１０年１月２０日に頒布された刊行物２（特開平１０−１５２０５号公報）には、図面と共に次の事項が記載されている。
　
（２−１）「【００４１】遊技中における持ち球数は持ち球数表示器３６に例えば「１５００」発といったようにデジタル表示されるが、遊技をしていって多数の賞球を獲得していくと、払出球数表示ランプ３５が点灯する。つまり、２０００個の賞球を獲得すると左端の１個の払出球数表示ランプ３５が点灯し、４０００個の賞球を獲得するとこれの右隣の１個の払出球数表示ランプ３５がさらに点灯して都合２個のランプ３５が点灯する。以後同様にして獲得賞球が２０００個増す毎にランプ３５が点灯していく。従って、このランプ表示によって従来のドル箱を積んでいく感じが得られ、遊技店が遊技球を出している感じを直感で把握することが出来る。また、持ち球数は表示器３６に表示されるため、現在の持ち球数が明確になり、遊技の進行・中断を判断し易くなる。
【００４２】また、遊技の最中に、獲得した賞球の任意の一部の賞球についての払い出しを受けたくなった場合には、テンキー４０を押し、所望の払出球数をデジタル値で入力することにより、レシート発行機から所望の球数のレシートが発行され、レシート出入口４３から手にすることが出来る。このレシートを景品交換カウンターに持って行くことにより、獲得賞球の一部を使って所望の景品を入手することが出来る。すなわち、本実施形態による密封循環式パチンコ機においては、従来のように獲得した賞球の全てについて精算する必要はなく、任意の一部の賞球について精算することが可能である。従って、持ち球が全て無くなる前に、所望の景品についてだけは景品交換を行い、手元に確保しておくといったことをすることも可能となる。また、景品交換の際に重いドル箱を運ぶ必要がなく、手軽に景品交換することが可能となる。
【００４３】また、遊技の最中に３つの少数清算ボタン４２の左端の精算ボタン４２を押圧操作すると、獲得賞球の一部である６０個分についてのレシートがレシート発行機から発行され、このレシートがレシート出入口４３から出てくる。遊技球６０個は煙草の景品交換球数に相当している。また、真ん中の少数精算ボタン４２を押圧操作すると、ジュースの景品交換数に相当する３０個分のレシートがレシート発行機から発行され、このレシートがレシート出入口４３から出てくる。同様に右端の精算ボタン４２を押圧操作すると、予め定められた所定個数分のレシートが同様に発行される。
【００４４】従って、遊技の最中に、所望の少数精算ボタン４２を押圧操作して所望の景品交換球数のレシートを発行させ、このレシートを景品交換カウンターに持って行くことにより、所望の景品を入手することが出来る。すなわち、所定個数の賞球についてのレシートが、精算ボタン４２を単に押すだけの簡単な操作によって発行され、所望の景品を直ちに入手することが可能となる。よって、獲得賞球の一部を使って入手した景品を利用しながら、例えば煙草を吸いながら、またはジュースを飲みながら、遊技を続けることが可能となる。」（第５ページ第８欄第３７行〜第６ページ第９欄第３７行）
　
　上記記載事項（２−１）及び図面の記載によると、刊行物２には、
「テンキー４０を押し、所望の球数のレシートをレシート発行機から発行させることにより、遊技の最中に、獲得した賞球の任意の一部の賞球についての精算をし、持ち球が全て無くなる前に所望の景品を手元に確保しておくことを可能とすると共に、少数精算ボタン４２を押圧操作し、煙草やジュースに相当する球数のレシートをレシート発行機から発行させることにより簡単な操作で遊技の最中に消費する煙草やジュースといった景品との交換を可能とし、レシートを景品交換カウンターに持って行くことにより、所望の景品を入手することができるようにしたパチンコ機。」
の発明（以下、「引用発明２」という。）が記載されていると認められる。
　
２．３　刊行物３記載の発明
　同じく、当審における拒絶の理由に引用された、本願の出願日前である平成１３年６月１２日に頒布された刊行物３（特開２００１−１５７７７０号公報）には、図面と共に次の事項が記載されている。
　
（３−１）「【００１８】次に、「銀色の遊技媒体」を適合色とする遊技機Ａの貯留皿１２に溜った遊技媒体の精算機構について説明する。遊技機Ｐの前下部には、遊技設備を構成する精算箱Ｓが設置してあり、この精算箱Ｓには前記供給皿１０が満杯となったときのオーバーフローした遊技媒体を受け入れる貯留皿１２、その貯留皿１２に溜った遊技媒体（銀色）の排出を行うスライド式の排出操作具１３、排出操作具１３を介して排出された「銀色」の遊技媒体の計数値を表示する適合色球計数表示部（７セグメント表示器）１４、本遊技機に適用しない「金色」の遊技媒体数の計数値を表示する不適合色球計数表示部（７セグメント表示器）１５、又、前記排出計数が終了後に、前記適合色球計数表示部１４と不適合色球計数表示部１５に表示の計数値を印字排出するレシート排出口１６、レシートが無いことを表示するランプ１６ａ、レシート発行釦１７、持ち球釦１８が配置してある。
【００１９】貯留皿１２の底部には、計数誘導樋１９が設けてあり、その入口１９ａには、常時、バネ（図示略）を介して閉方向に付勢の開閉板２０が前記排出操作具１３に取り付けてあり、その排出操作具１３を開方向にスライドさせると、開閉板２０がスライドして入口１９ａを開成し、貯留皿１２の遊技媒体は計数誘導樋１９を流下する。又、計数誘導樋１９の途中で、後述の球切回転体２４の上流側には、流下する遊技媒体の色を識別する第１色センサ２１ａ、２１ｂが設置してあると共に、球切回転体２４が保持する遊技媒体の色を識別可能に第２色センサ２２が設けてあり、それらのセンサは遊技媒体が「銀色」か「金色」かの識別をなす。尚、この色センサ２１ａ、２１ｂ、２２はよく知られたカラーＣＣＤ等を用いる。」（第４ページ第５欄第２５行〜第６欄第４行）
（３−２）「【００２３】（２）通路切替制御フロー１：遊技者が、排出操作具１３をスライドさせると、貯留皿１２に溜っている遊技媒体は計数誘導樋１９を流下し、第１色センサ２１ａ、２１ｂで遊技媒体を検出するので、その遊技媒体が「金色」であるかを判断し、「金色」でないときには戻る（Ｓ５）。一方、不適合色の金色の遊技媒体を検出したときには、カウンタｉによって金色の遊技媒体を計数し（Ｓ６）、その後、停止電磁ソレノイド２６を励磁して球切回転体２４をロックした後に戻る（Ｓ７）。」（第５ページ第７欄第２〜１１行）
（３−３）「【００２８】前記ステップ１９における遊技媒体の排出は、前記ステップ１４、１５からである場合には、銀色の遊技媒体が計数排出路２７、傾斜路２８ａ、適合色排出路２７ａに導かれ、その遊技媒体は検出器３０ａで計数（ｉｓ＝ｉｓ＋１）され（Ｓ２２）、その計数値ｉｓは適合色球計数表示部１４に表示される。一方、ステップ１８からである場合には、金色の遊技媒体が計数排出路２７、通過孔２８ｂ、不適合色排出路２７ｂに導かれ、金色の遊技媒体は検出器３０ｂで計数され（ｉｇ＝ｉｇ＋１）（Ｓ２２）、その計数値ｉｇは不適合色球計数表示部１５に表示される。」（第５ページ第８欄第１３〜３４行）
　
　上記記載事項（３−１）ないし（３−３）及び図面の記載によると、刊行物３には、
「パチンコ機Ｐの前面に設けられた精算箱Ｓから排出した遊技球を計数する検出器３０ａ及び３０ｂ、前記検出器３０ａ及び３０ｂにより計数された遊技玉の個数を表示する適合色球計数表示部１４及び不適合色球計数表示部１５、レシート発行釦１７を備え、前記レシート発行釦１７を押すと前記適合色球計数表示部１４及び不適合色球計数表示部１５の計数値を印字してレシートを排出するパチンコ機。」
の発明（以下、「引用発明３」という。）が記載されていると認められる。
　
２．４　刊行物４記載の発明
　また、当審における拒絶の理由に引用された、本願の出願日前である平成９年１０月２８日に頒布された刊行物４（特開平９−２７６５１９号公報）には、図面と共に次の事項が記載されている。
　
（４−１）「【発明の実施の形態】以下、本発明の第１実施例を図１乃至図１０を参照して説明する。図１は全体の構成を概略的に示している。この図１において、遊技機としてのパチンコゲーム機１に１対１で対応して判定手段としての台端末装置２が設けられている。この台端末装置２はパチンコ玉の返却機能、パチンコゲーム機１の稼働状況を監視する機能、呼出報知機能を備えると共に、遊技場用管理システムとしての管理装置３との通信機能を備えて構成されている。」（第３ページ第４欄第２３〜３１行）
（４−２）「【００２２】さらに、上記台端末装置２は、上述した貯玉システムを利用したワゴンサービスシステムの機能が付加されている。このワゴンサービスシステムとは、遊技客が遊技中に煙草或いは飲料を注文したときは、担当係員が煙草、飲料等が収納されたワゴン４を遊技客まで運搬し、その遊技客に対応して貯玉システムで記憶された貯玉数の価額の範囲内でワゴン４に収納された物品を遊技客に提供すると共に、提供した物品に応じた価額に対応する貯玉数を貯玉数から引落すというものである。つまり、遊技客が獲得していたパチンコ玉と物品とを交換するというものであり、このような場合、煙草或いは飲料等の物品は景品として機能することになる。従って、遊技客は、パチンコゲーム機１による遊技を中断することなく所望の景品を現金を使用することなく入手することができることになる。」（第４ページ第５欄第３〜１７行）
（４−３）「【００４８】さて、遊技客の遊技時間が長くなると、遊技客が所持する煙草が切れたり、飲料を欲するようになる。しかしながら、それらの物品を入手したい場合は、獲得したパチンコ玉を煙草と交換したり、或いは飲料を自動販売機で購入する必要がある。このため、遊技客は遊技を中断しなければならず、遊技に対する集中力が途切てしまうことになる。
【００４９】そこで、本実施例では、次のようにして遊技客が遊技しながら所望の物品を景品として注文できるようにしている。即ち、物品を注文したい遊技客は、台端末装置２に設けられている操作部１６のワゴンスイッチ１８を操作する。
【００５０】すると、台端末装置２は、ワゴンスイッチ１８がオンしたときは（ステップＡ１８）、ワゴンランプ点消灯処理を実行する（ステップＡ１９）。このワゴンランプ点消灯処理では、ワゴンスイッチ１８がオンする毎に、ランプ部１３のワゴンランプを交互に点灯、消灯する。従って、台端末装置２に設けられているランプ部１３のワゴンランプが点灯すると共に、島端ランプ２９のワゴンランプ３１も点灯するので、担当係員は、遊技客が注文を要求していることを迅速に確認することができる。このような場合、担当係員は、注文入力装置５を携帯した状態で、煙草或いは飲料缶等の景品としての物品が収納されたワゴン４を注文を要求している遊技客まで運搬する。」（第５ページ第８欄第４９行〜第６ページ第９欄第２３行）
　
　上記記載事項（４−１）ないし（４−３）及び図面の記載によると、刊行物４には、
「ワゴンサービスを要求する際に、ワゴンスイッチ１８を操作することによりワゴンランプを点灯させるようにしたパチンコゲーム機。」
の発明（以下、「引用発明４」という。）が記載されていると認められる。
　
３．対比
　本願発明と引用発明１とを対比すると、引用発明１における「計数ユニット４０」、「情報表示部５１」、「呼出表示装置１４」は、本願発明における「計数手段」、「表示手段」、「表示ランプ」にそれぞれ対応する。
　引用発明１における「パチンコ島台１」は、パチンコ機２を備えたものであるので、本願発明における「遊戯玉を用いて遊戯する遊戯台」に対応する。
　引用発明１における「景品玉返却装置３５」は、玉箱３２に付設された開閉板３６を開放することにより、前記玉箱３２から景品玉を返却するものであるので、本願発明における「投入口」に対応する。
　引用発明１における「レシート発行機５３及びカード読書き装置７０」と、本願発明における「出力手段」とは、景品と交換しようとする遊戯玉数を出力する個数出力手段として共通している。
　引用発明１における「レシートを発行」することは、本願発明における「出力物に印字して出力する」ことに対応する。
　引用発明１における「レシート排出ボタン５５」は、レシートを発行し、前記レシートを用いてワゴンサービスによる景品交換を行うようにするものであり、一般に、ワゴンサービスは遊戯中に店員を呼び出して受けるものであるので、本願発明における「遊戯中に店員を呼び出して景品交換を行うための景品交換用ボタン」に対応する。
　一般に、景品カウンタにて景品交換を行うのは遊技終了後であり、引用発明１における「精算ボタン６４」は、遊技を終了する場合に操作され、前記預玉記憶部４１に記憶され前記情報表示部５１に表示された景品玉を貯玉カードあるいは預り玉記録カードに記憶し、前記貯玉カードあるいは預り玉記録カードを遊技場内に設置されるホールカウンターに持参することにより、所望の景品との交換ができるようにするものであるので、本願発明における「景品カウンタにて景品交換を行うためのカウンタ用ボタン」に対応する。
　よって、次の一致点において両者の構成は一致し、次の各相違点において両者の構成は相違する。
　
　一致点：遊戯玉を用いて遊戯する遊戯台において、
遊戯台の前面に設けられ、遊戯玉を投入するための投入口と、前記投入口より投入された遊戯玉の個数を計数する計数手段と、前記計数手段により計数された個数を表示する表示手段と、景品と交換しようとする遊戯玉数を出力する個数出力手段と、前記遊戯台に設けられ、店員を呼び出すための表示ランプと、前記遊戯台の前面に設けられ、遊戯中に店員を呼び出して景品交換を行うための景品交換用ボタンと、前記遊戯台の前面に設けられ、景品カウンタにて景品交換を行うためのカウンタ用ボタンと、を備え、
遊戯中に店員を呼び出して景品交換を行う場合には、前記景品交換用ボタンが操作され、前記個数出力手段は前記表示手段に表示された景品と交換しようとする遊戯玉数を出力物に印字して出力し、一方景品カウンタにて景品交換を行う場合には、前記カウンタ用ボタンが操作され、前記表示ランプが点灯することなく前記個数出力手段は前記表示手段に表示された個数を出力する遊戯台である点。
　
　相違点１：景品交換用ボタンが操作されたときに個数出力手段が出力物に印字する個数である、表示手段に表示された景品と交換しようとする遊戯玉数が、本願発明においては、計数手段により計数された個数であるのに対し、引用発明１においては、貯玉カードあるいは貯玉記憶部４１から減算する個数として、数値入力ボタン７１により入力され表示手段に表示された減算値である点。
　
　相違点２：カウンタ用ボタンが操作されたときの個数出力手段の出力に関して、本願発明においては、出力物に印字して出力するのに対し、引用発明１においては、貯玉カードあるいは預り玉記録カードに記憶する点。
　
　相違点３：表示ランプの点灯に関して、本願発明においては、景品交換用ボタンを操作すると表示ランプが点灯するのに対し、引用発明１においては、景品交換用ボタンを操作しても表示ランプは点灯しない点。
　
　相違点４：投入口が、本願発明においては、遊戯台本体の前面の灰皿取付部に設けられているのに対し、引用発明１においては、パチンコ機２の下部に外側に向かって突設されカウンター台１２上に載置され前記パチンコ機２から排出された景品玉が貯留される玉箱３２に付設されている点。
　
　相違点５：表示ランプが、本願発明においては、遊戯台本体に設けられているのに対し、引用発明１においては、上部装飾板５０に設けられている点。
　
　相違点６：景品交換用ボタン及びカウンタ用ボタンの配置に関して、本願発明においては、ともに遊戯台本体の前面に設けられているのに対し、引用発明１においては、景品交換用ボタンが上部装飾板５０に、カウンタ用ボタンが台間玉貸機３にそれぞれ設けられている点。
　
４．当審の判断
４．１　相違点１について
　相違点１は、本願発明が、獲得した遊戯玉のうち、景品と交換しようとする個数の遊戯玉を投入口より投入して計数するようにしたものであるのに対し、引用発明１が、獲得して予め計数してある遊戯玉のうち、景品と交換しようとする遊戯玉の個数を数値入力ボタン７１により入力するようにしたものであることに基づくものである。
　そして、パチンコ遊技施設において、遊戯玉を景品と交換する際に遊戯玉の個数を計数表示し、その個数を印字したレシート（出力物）を発行することは、例を示すまでもなく本願出願前において周知であり、遊戯台において遊戯玉を計数表示し、計数した個数を印字したレシート（出力物）を発行することも、引用発明３に開示されているので、引用発明１における貯玉カードあるいは貯玉記憶部４１から減算する個数として、数値入力ボタン７１により入力され表示手段に表示された減算値を出力物に印字して出力する構成に代えて、上記引用発明３における計数表示した遊戯玉の個数を印字したレシート（出力物）を発行する構成を採用し、上記相違点１における本願発明の構成を得ることは、当業者であれば格別の創意工夫を必要とせずになし得る事項である。
　
４．２　相違点２について
　パチンコ遊技施設において、景品交換カウンタにて景品交換を行うために、遊戯玉の個数を印字したレシート（出力物）を発行することは、例を示すまでもなく本願出願前において周知であり、遊戯台においてレシート（出力物）を発行することも、引用発明２に開示されているので、引用発明１における貯玉カードあるいは預り玉記録カードに記憶する構成に代えて、上記引用発明２における遊戯玉の個数を印字したレシート（出力物）を発行する構成を採用し、上記相違点２における本願発明の構成を得ることは、当業者であれば格別の創意工夫を必要とせずになし得る事項である。
　
４．３　相違点３について
　引用発明１における景品交換用ボタンは、ワゴンサービスにより遊技途中における景品交換を可能とするために出力物に印字するためのものである。
　ワゴンサービスを要求する際に遊戯台に設けたランプを点灯させることは、引用発明４に、ワゴンスイッチ１８を操作することによりワゴンランプを点灯させることとして開示されている。
　そして、特定の目的を達成するために必要な複数の動作を、一つの操作により連動して行うことは、慣用されている。
　そうすると、引用発明１において景品交換用ボタンを押した際に表示ランプを点灯させるようにして、上記相違点３における本願発明の構成を得ることは、当業者であれば容易に想到し得る事項である。
　
４．４　相違点４について
　遊戯台を構成する要素であり、遊技者が操作するようなハンドル、上皿等を遊戯台本体の前面に設けることは慣用されており、それらを設ける位置は、当業者であれば、遊技者による操作の容易性や構成要素の優先度、遊戯台前面のスペース等を考慮することにより適宜設定し得る設計事項であるので、引用発明１における投入口を遊戯台本体の前面の灰皿取付部に設けることは、当業者であれば格別の創意工夫を必要とせずになし得る事項である。
　
４．５　相違点５について
　表示ランプを設ける位置は、当業者であれば、表示ランプを点灯させた遊技者や、表示ランプの点灯を確認する店員の視認容易性や遊戯台前面のスペース等を考慮することにより適宜設定し得る設計事項であるので、引用発明１における表示ランプを遊戯台本体に設けることは、当業者であれば格別の創意工夫を必要とせずになし得る事項である。
　
４．６　相違点６について
　遊戯台を構成する要素であり、遊技者が操作するようなハンドル、上皿等を遊戯台本体の前面に設けることは慣用されており、それらを設ける位置は、当業者であれば、遊技者による操作の容易性や遊戯台前面のスペース等を考慮することにより適宜設定し得る設計事項であるので、遊技者により操作される引用発明１における景品交換用ボタン及びカウンタ用ボタンを遊戯台本体の前面に設けることは、当業者であれば格別の創意工夫を必要とせずになし得る事項である。
　
４．７　本願発明の作用効果について
　本願発明の奏する作用効果は、引用発明１ないし４から予測できる範囲を超えるものとは認められない。
　
５．むすび
　したがって、本願発明は、引用発明１ないし４に基づいて当業者が容易に発明をすることができたものであるから、他の請求項について検討するまでもなく、本願は、特許法第２９条第２項の規定により特許を受けることができない。
　よって、結論のとおり審決する。